(57)【要約】【課題】内視鏡の分岐部を大型化させずに，吸引用管路と分岐部との境界部分と，処置具導入用管路と分岐部との境界部分と，の間に有する吸引用管路と処置具導入用管路との合流部を出来るだけ大きく取ることの可能な内視鏡の分岐部を提供する。【解決手段】操作部に備わる吸引用管路１１６および処置具導入用管路１１２を合流させて，挿入部の先端部まで貫設される処置具挿通用管路１０８と接続させる内視鏡の分岐部１１４であって，分岐部側に形成された処置具導入用管路との接続部１２０の内周面に設けられた逃げ部１２４に気密性保持手段１３２が収納されることを特徴とする。【選択図】    図２
2005021288.tif 000002
【特許請求の範囲】
【請求項１】
操作部に備わる吸引用管路および処置具導入用管路を合流させて，挿入部の先端部まで貫設される処置具挿通用管路と接続させる内視鏡の分岐部であって，
前記分岐部側に形成された前記処置具導入用管路との接続部の内周面に設けられた逃げ部に気密性保持手段が収納されることを特徴とする，内視鏡の分岐部。
【請求項２】
前記分岐部側に形成された前記処置具導入用管路との接続部の内周面に雌ねじ部および雌ねじ逃げ部が設けられ，
前記処置具導入用管路側に形成された前記分岐部との接続部の外周面に雄ねじ部が設けられ，
前記雌ねじ逃げ部に前記気密性保持手段が収納されることを特徴とする，請求項１に記載の内視鏡の分岐部。
【請求項３】
前記分岐部側に形成された前記処置具導入用管路との接続部の内周面に係合凹部および逃げ溝部が設けられ，
前記処置具導入用管路側に形成された前記分岐部との接続部の外周面に係合凸部が設けられ，
前記逃げ溝部に前記気密性保持手段が収納されることを特徴とする，請求項１に記載の内視鏡の分岐部。
【請求項４】
前記吸引用管路と前記分岐部との境界部分と，前記処置具導入用管路と前記分岐部との境界部分と，の間に有する前記吸引用管路と前記処置具導入用管路との合流部の壁部は，連続的に変化して連なる曲面に面取りされていることを特徴とする，請求項１〜３のいずれかに記載の内視鏡の分岐部。
【発明の詳細な説明】
【０００１】
【発明の属する技術分野】
本発明は，内視鏡の分岐部にかかり，特に内視鏡の処置具導入用管路と分岐部の境界部分の構成に関する。
【０００２】
【従来の技術】
内視鏡は，一般に内視鏡の操作部に体腔内等へ挿入される挿入部が連接され，また操作部からコネクタ部等に接続するためのユニバーサルコードを引き出すことにより大略構成される。内視鏡の挿入部内には，鉗子等の処置具を誘導するための処置具挿通用管路が設けられている。また，この処置具挿通用管路は，操作部に備わる吸引用管路と接続されることにより，吸引用チャンネルとしても利用される。そこで，挿入部に備わる処置具挿通用管路と操作部に備わる処置具導入用管路および吸引用管路を接続するため，それらの間には，三股状に分岐した３つの通路を形成した三股状の連結用の分岐ブロック部材である分岐部が設けられている。そして，各分岐通路には，これら処置具挿通用管路，処置具導入用管路，および吸引用管路が個別的に接続されている。
【０００３】
内視鏡を使用する症例には，図８に示すように，体内に留置された医療用チューブ等の異物２６の抜去に，スネアや鉗子等の処置具２８を使用して，異物２６を把持して処置具挿通用管路３０，分岐部１０，および処置具導入用管路１２を通して，体外に抜去する場合がある。このとき，医療用チューブ等の異物２６が分岐部１０と吸引用管路（不図示）との境界部分３２近傍で引っかかってしまい，術者の作業効率を著しく低下させる虞があった。この問題を解消するためには，吸引用管路と分岐部１０との境界部分３２と，処置具導入用管路１２と分岐部１０との境界部分３４と，の間に有する吸引用管路と処置具導入用管路１２との合流部３６を出来るだけ大きく取ることが望まれていた。
【０００４】
しかしながら，上記の従来の分岐部１０の構成では，処置具導入用管路１２と接続させるのに，処置具導入用管路１２側に有する分岐部１０との接続部２０の内周面に雌ねじ２２を設け，この雌ねじ２２と噛合させるために，分岐部１０側に形成された処置具導入用管路１２との接続部１４の外周面に雄ねじ１６を設けると，この雄ねじ１６の終端側に雄ねじ逃げ部１８を設ける必要がある。また，分岐部１０側に形成された処置具導入用管路１２との接続部１４の外周面と処置具導入用管路１２側に形成された分岐部１０との接続部２０の内周面との間には，気密性を保つための手段として，例えばゴム製のＯリング２４を設ける必要がある。このため，上記の吸引用管路と分岐部１０との境界部分３２と，処置具導入用管路１２と分岐部１０との境界部分３４と，の間に有する吸引用管路と処置具導入用管路１２との合流部３６を大きく取るためには，分岐部１０の上記境界部分３２および境界部分３４の端部間の幅Ｗを大きく取ること，換言すると，分岐部１０を大型化する必要があり，結果的に内視鏡操作部の重量を増加させてしまい，術者の負担を増大させてしまう。
【０００５】
このため，体内に留置された異物２６の抜去の際に，医療用チューブ等の異物２６が分岐部１０と吸引用管路との境界部分３２近傍で引っかからないようにするために，処置具導入用管路１２と処置具挿通用管路３０を略直線状に接続し，かつ吸引用管路を処置具導入用管路１２に対し，略垂直方向となるように接続させる分岐部１０が開示されている（例えば，特許文献１参照）。
【０００６】
【特許文献１】
特開昭６３−２７５３１５号公報
【特許文献２】
特開平１１−０４７０８３号公報
【０００７】
【発明が解決しようとする課題】
上記の特許文献１に記載の分岐部は，体内に留置された医療チューブ等の異物を抜去する際に，医療用チューブ等の異物が分岐部と吸引用管路との境界部分近傍で引っかからないようにするには，有効ではある。しかしながら，分岐部を大型化せずに，上記の吸引用管路と分岐部との境界部分と，処置具導入用管路と分岐部との境界部分と，の間に有する吸引用管路と処置具導入用管路との合流部を大きく取るには，至らない。また，内視鏡内の各管路を洗浄する際に，吸引用管路側から洗浄ブラシを処置具挿通用管路の先端側まで挿通させることが出来ないため，洗浄性を劣化させてしまうこととなる。
【０００８】
また，上記の吸引用管路と分岐部との境界部分と，処置具導入用管路と分岐部との境界部分と，の間に有する吸引用管路と処置具導入用管路との合流部には，汚物が溜まりやすいという問題点があった。このため，吸引用管路と分岐部との境界部分の内面，および処置具導入用管路と分岐部との境界部分の内面を連続的に変化して滑らかに連なるように面取りされている分岐部が開示されている（例えば，特許文献２参照）。
【０００９】
しかしながら，特許文献２に記載の分岐部は，ＳＵＳ３０３相当の材料で金属射出成形によって形成される。このため，この分岐部の加工が複雑であり，かつ加工におけるコストが大きくなり，手間がかかるという問題点があった。
【００１０】
本発明は，従来の内視鏡の分岐部が有する上記問題点に鑑みてなされたものであり，本発明の目的は，内視鏡の分岐部を大型化させずに，吸引用管路と分岐部との境界部分と，処置具導入用管路と分岐部との境界部分と，の間に有する吸引用管路と処置具導入用管路との合流部を出来るだけ大きく取ることの可能な，新規かつ改良された内視鏡の分岐部を提供することである。
【００１１】
また，本発明の別の目的は，より簡単に，上記の合流部に汚物等が溜まりにくい構成とする，新規かつ改良された内視鏡の分岐部を提供することである。
【００１２】
【課題を解決するための手段】
上記課題を解決するために，本発明の第１の観点によれば，操作部に備わる吸引用管路および処置具導入用管路を合流させて，挿入部の先端部まで貫設される処置具挿通用管路と接続させる内視鏡の分岐部であって，分岐部側に形成された処置具導入用管路との接続部の内周面に設けられた逃げ部に気密性保持手段が収納されることを特徴とする，内視鏡の分岐部が提供される。
【００１３】
このとき，分岐部側に形成される処置具導入用管路との接続部の内周面に雌ねじ部および雌ねじ逃げ部が設けられ，処置具導入用管路側に形成される分岐部との接続部の外周面に雄ねじ部が設けられ，雌ねじ逃げ部に気密性保持手段が収納されることとしてもよい。また，分岐部側に形成される処置具導入用管路との接続部の内周面に係合凹部および逃げ溝部が設けられ，処置具導入用管路側に形成される分岐部との接続部の外周面に係合凸部が設けられ，逃げ溝部に気密性保持手段が収納されることとしてもよい。
【００１４】
このような本発明にかかる内視鏡の分岐部によれば，上述の構成とすることにより，分岐部側に有する処置具導入用管路との接続部の内周面に設けられた雌ねじ逃げ部，または逃げ溝部を，分岐部と処置具導入用管路との境界部分の気密性を保つために装着される気密性保持手段となるＯリングを収納するための溝として利用可能，換言すると，雌ねじ逃げ部，または逃げ溝部がＯリング用の溝と兼用可能となるので，従来Ｏリング用の溝として使用する分の空間の余裕が生じる。このため，従来の内視鏡の分岐部を大型化させずに，吸引用管路と分岐部との境界部分と，処置具導入用管路と分岐部との境界部分と，の間に有する吸引用管路と処置具導入用管路との合流部を，上記の生じた空間の余裕分だけ，大きく取ることが可能となる。
【００１５】
また，このとき，吸引用管路と分岐部との境界部分と，処置具導入用管路と分岐部との境界部分と，の間に有する吸引用管路と処置具導入用管路との合流部の壁部は，連続的に変化して連なる曲面に面取りされていることとしてもよい。
【００１６】
このような本発明にかかる内視鏡の分岐部によれば，上述の構成とすることにより，吸引用管路と分岐部との境界部分と，処置具導入用管路と分岐部との境界部分と，の間に有する吸引用管路と処置具導入用管路との合流部の壁部の稜線に隅が残らないので，この合流部に汚物等が溜まりにくくなり，汚物の残留を防止させ，内視鏡の分岐部の洗浄性を向上させることができるようになる。
【００１７】
【発明の実施の形態】
以下に添付図面を参照しながら，本発明にかかる装置の好適な実施の形態について詳細に説明する。なお，本明細書及び図面において，実質的に同一の機能構成を有する構成要素については，同一の符号を付することにより重複説明を省略する。
【００１８】
（第１の実施の形態）
図１は，本発明にかかる内視鏡の分岐部を適用する内視鏡１００全体の概略構成図である。内視鏡１００は，主として，挿入部１０２と，操作部１０４と，ユニバーサルコード部１０６を介して接続されるコネクタ部（図示せず）とから構成されている。
【００１９】
挿入部１０２内には，スネアや生検鉗子等の内視鏡用処置具を内視鏡先端部に導出させるための処置具挿通用管路１０８が設けられている。また，操作部１０４には，内視鏡用処置具を導入するための処置具導入口１１０が設けられ，この処置具導入口１１０は，処置具導入用管路１１２，分岐部１１４を介して処置具挿通用管路１０８に接続されている。また，分岐部１１４は，ユニバーサルコード部１０６を介してコネクタ部へ延出して設けられたコネクタ部側吸引管路（図示せず）と接続されている吸引バルブ１１８を介して連通される吸引用管路１１６と処置具挿通用管路１０８も接続している。このため，処置具挿通用管路１０８は，吸引バルブ１１８を操作することによって，吸引ポンプ（図示せず）と接続されているコネクタ部側吸引管路と連通されるので，施術時に吸引機能を有する吸引チャンネルとしても使用される。
【００２０】
次に，本発明の内視鏡の分岐部１１４の第１の実施の形態の構成について，図面を用いて説明する。図２は，本実施の形態の内視鏡１００の分岐部１１４の軸方向の断面図である。
【００２１】
図２に示すように，本実施の形態の分岐部１１４は，操作部１０４に備わる吸引用管路１１６と挿入部１０２側に備わる処置具挿通用管路１０８とを接続させると同時に，操作部１０４に備わる処置具導入用管路１１２と挿入部１０２に備わる処置具挿通用管路１０８とを接続させる。
【００２２】
本実施の形態では，分岐部１１４側に形成された処置具導入用管路１１２との接続部１２０の内周面に雌ねじ部１２２および雌ねじ逃げ部１２４が設けられている。また，処置具導入用管路１１２側に形成された分岐部１１４との接続部１２６の外周面に雄ねじ部１２８および雄ねじ逃げ部１３０が設けられている。分岐部１１４側に形成された処置具導入用管路１１２との接続部１２０の内周面に設けられた雌ねじ部１２２に，処置具導入用管路１１２側に形成された分岐部１１４との接続部１２６の外周面に設けられた雄ねじ部１２８を螺着させることにより，処置具導入用管路１１２が分岐部１１４に挿着される。
【００２３】
また，本実施の形態では，分岐部１１４側に有する処置具導入用管路１１２との接続部１２０の内周面に設けられた雌ねじ逃げ部１２４を，分岐部１１４と処置具導入用管路１１２との境界部分の気密性を保つために装着されるＯリング１３２を設けるための溝として利用される。換言すると，雌ねじ逃げ部１２４がＯリング１３２を収めるための溝と兼用となる。
【００２４】
このため，従来の分岐部１０と比べ，Ｏリング用の溝として使用する分の空間の余裕が生じる。従来の分岐部１０では，図８に示すように，処置具導入用管路１２と分岐部１０とを接続するのに，Ｏリング２４を収納するための溝２５，処置具導入用管路１２と分岐部１０との境界部分３４に形成した雄ねじ２２，および雄ねじ逃げ部１８が分岐部１０側に設けられていた。これに対し，本実施の形態の分岐部１１４は，図２に示すように，処置具導入用管路１１２との接続部１２０の内周面に形成された雌ねじ部１２２，および雌ねじ逃げ部１２４が分岐部１１４側に設けられる。そして，この雌ねじ逃げ部１２４にＯリング１３２が収納される。
【００２５】
つまり，分岐部１１４の吸引用管路１１６と分岐部１１４との境界部分１３６の端部，および処置具導入用管路１１２と分岐部１１４との境界部分１３４の端部との間の幅Ｗ１を従来の分岐部１０の幅Ｗと略同一であっても，従来の分岐部１０における合流部３６に比べ，本実施の形態の分岐部１１４における合流部１３８を上記の空間の余裕分だけ大きく取ることができる。換言すると，分岐部１１４を大型化しなくても，吸引用管路１１６と分岐部１１４との境界部分１３６と，処置具導入用管路１１２と分岐部１１４との境界部分１３４と，の間に有する吸引用管路１１６と処置具導入用管路１１２との合流部１３８を大きく取ることが可能となる。なお，上述の合流部１３８における壁部１４０は，ボールエンドミル加工等によって，連続的に変化して連なる曲面として面取りされている。
【００２６】
次に，上記の合流部１３８の壁部１４０に施す面取り加工について図面を参照しながら説明する。図３は，本実施の形態の分岐部１１４の吸引用管路１１６と分岐部１１４との境界部分１３６と，処置具導入用管路１１２と分岐部１１４との境界部分１３４と，の間に有する吸引用管路１１６と処置具導入用管路１１２との合流部１３８を面取り加工するときの動作を示す図である。
【００２７】
図３に示すように，上記の合流部１３８の壁部１４０は，例えば研磨手段１４２によってボールエンドミル加工をして，連続的に変化して連なる曲面に面取りされる。
【００２８】
上記の面取り加工を施すことによって，吸引用管路１１６と処置具導入用管路１１２との合流部１３８の壁部１４０の稜線に隅が残らないようになる。このため，この合流部１３８に汚物等が溜まりにくくなり，内視鏡の分岐部１１４の洗浄性を向上させることができるようになる。
【００２９】
次に，本実施の形態の分岐部１１４において，内視鏡用処置具を使用して，異物を抜去するときの作用について図面を参照して説明する。図４は，本実施の形態の内視鏡１００の分岐部１１４において，スネアで医療用チューブを抜去するときの動作を示す図であり，図５は，本実施の形態の内視鏡１００の分岐部１１４において，鉗子で医療用チューブを抜去するときの動作を示す図である。
【００３０】
本実施の形態では，Ｏリング１３２を収納する溝の分だけ空間の余裕が生じるので，吸引用管路１１６と分岐部１１４との境界部分１３６と，処置具導入用管路１１２と分岐部１１４との境界部分１３４と，の間に有する吸引用管路１１６と処置具導入用管路１１２との合流部１３８を大きく取ることが可能となる。また，上述の合流部１３８における壁部１４０をボールエンドミル加工等によって，連続的に変化して連なる曲面として面取りしている。
【００３１】
分岐部１１４を上記構成とすることによって，図４に示すように，体内に留置された医療用チューブ１４４の抜去に，スネア１４２を使用して，医療用チューブ１４４を把持して処置具挿通用管路１０８，分岐部１１４，および処置具導入用管路１１２を通して，体外に抜去する際に，医療用チューブ１４４が分岐部１１４と吸引用管路１１６との境界部分１３６に引っかからないようになる。このため，体内に留置された医療用チューブ１４４の抜去等の作業効率低下を防止できる。
【００３２】
体内に留置された医療用チューブ１４４の抜去に，鉗子１４６を使用した場合においても，同様にして，図５に示すように，医療用チューブ１４４を把持して処置具挿通用管路１０８，分岐部１１４，および処置具導入用管路１１２を通して，体外に抜去する際に，医療用チューブ１４４が分岐部１１４と吸引用管路１１６との境界部分１３６に引っかからないようになる。
【００３３】
（第２の実施の形態）
次に，本発明の内視鏡の分岐部の第２の実施の形態の構成について，図面を用いて説明する。図６は，本実施の形態の内視鏡の分岐部２１４の軸方向の断面図である。なお，本実施形態の分岐部２１４を適用する内視鏡１００の全体構成図は，図１と同様である。
【００３４】
本実施の形態の分岐部２１４は，第１の実施の形態の分岐部１１４とは，処置具導入用管路２１２と分岐部２１４との境界部分の構造が異なる。すなわち，本実施の形態では，分岐部２１４側に形成された処置具導入用管路２１２との接続部２２０の内周面に係合凹部２２２および逃げ溝部２２４が設けられている。また，処置具導入用管路２１２側に形成された分岐部２１４との接続部２２６の外周面に係合凸部２２８および逃げ溝部２３０が設けられている。分岐部２１４側に有する処置具導入用管路２１２との接続部２２０の内周面に設けられた係合凹部２２２に，処置具導入用管路２１２側に形成された分岐部２１４との接続部２２６の外周面に設けられた係合凸部２２８を嵌合させることにより，処置具導入用管路２１２が分岐部２１４に挿着される。
【００３５】
また，本実施の形態では，分岐部２１４側に形成された処置具導入用管路２１２との接続部２２０の内周面に設けられた係合凹部２２２の逃げ溝部２２４を，分岐部２１４と処置具導入用管路２１２との境界部分の気密性を保つために装着されるＯリング２３２を設けるための溝として利用される。換言すると，係合凹部２２２の逃げ溝部２２４がＯリング２３２を収めるための溝と兼用となる。
【００３６】
このため，第１の実施の形態の分岐部１１４と同様に，本実施の形態の分岐部２１４は，図６に示すように，処置具導入用管路２１２との接続部２２０の内周面に形成された係合凹部２２２，および逃げ溝部２２４が分岐部２１４側に設けられる。そして，この逃げ溝部２２４にＯリング２３２が収納される。換言すると，従来の分岐部１０と比べ，Ｏリング用の溝として使用する分の空間の余裕が生じる。
【００３７】
つまり，分岐部２１４の吸引用管路１１６と分岐部２１４との境界部分２３６の端部と，処置具導入用管路２１２と分岐部２１４との境界部分２３４の端部との間の幅Ｗ２を従来の分岐部１０の幅Ｗと略同一であっても，従来の分岐部１０における合流部３６に比べ，本実施の形態の分岐部２１４における合流部２３８を上記の空間の余裕分だけ大きく取ることができる。換言すると，分岐部２１４を大型化しなくても，吸引用管路１１６と分岐部２１４との境界部分２３６と，処置具導入用管路２１２と分岐部２１４との境界部分２３４と，の間に有する吸引用管路１１６と処置具導入用管路２１２との合流部２３８を大きく取ることが可能となる。なお，上述の合流部２３８における壁部２４０は，第１の実施の形態と同様に，ボールエンドミル加工等によって，連続的に変化して連なる曲面として面取りされている。
【００３８】
次に，本実施の形態の分岐部２１４において，内視鏡用処置具を使用して，異物を抜去するときの作用について図面を参照して説明する。図７は，本実施の形態の内視鏡の分岐部２１４において，スネア１４２で医療用チューブを抜去するときの動作を示す図である。
【００３９】
本実施の形態では，第１の実施の形態と同様に，Ｏリング２３２を収納する溝の分だけ空間の余裕が生じるので，吸引用管路１１６と処置具導入用管路２１２との合流部２３８を大きく取ることが可能となる。また，上述したように，吸引用管路１１６と分岐部２１４との境界部分２３６と，処置具導入用管路２１２と分岐部２１４との境界部分２３４と，の間に有する合流部２３８における壁部２４０をボールエンドミル加工等によって，連続的に変化して連なる曲面として面取りしている。
【００４０】
分岐部２１４を上記構成とすることによって，図７に示すように，体内に留置された医療用チューブ１４４の抜去に，スネア１４２を使用して，医療用チューブ１４４を把持して処置具挿通用管路１０８，分岐部２１４，および処置具導入用管路２１２を通して，体外に抜去する際に，医療用チューブ１４４が分岐部２１４と吸引用管路１１６との境界部分２３６に引っかからないようになる。このため，第１の実施の形態と同様に，体内に留置された医療用チューブ１４４の抜去等の作業効率の低下を防止できる。なお，本実施の形態においても，第１の実施の形態と同様に鉗子を始めとする他の医療用処置具を使用した場合でも同様の効果が得られる。
【００４１】
以上，添付図面を参照しながら本発明に係る好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４２】
例えば，上記の各実施の形態では，スネアや鉗子で医療用チューブを体外に抜去する場合について言及しているが，他の医療用処置具，および他の異物を抜去する際にも，同様の効果が得られる。
【００４３】
【発明の効果】
以上詳述したように本発明によれば，内視鏡の分岐部を大型化させずに，吸引用管路と分岐部との接続部と，処置具導入用管路と分岐部との接続部と，の間に有する吸引用管路と処置具導入用管路との合流部を出来るだけ大きく取ることができるので，体内に留置された医療用チューブ等の異物を抜去するに際し，この異物が分岐部と吸引用管路との境界部分に引っかからないようになる。
【図面の簡単な説明】
【図１】図１は，本発明にかかる内視鏡の分岐部を適用する内視鏡の全体の概略構成図である。
【図２】図２は，本発明の第１の実施の形態の内視鏡の分岐部の軸方向の断面図である。
【図３】図３は，同実施の形態の分岐部の吸引用管路と分岐部との境界部分と，処置具導入用管路と分岐部との境界部分と，の間に有する合流部の壁部を面取り加工するときの動作を示す図である。
【図４】図４は，同実施の形態の内視鏡の分岐部において，スネアで医療用チューブを抜去するときの動作を示す図である。
【図５】図５は，同実施の形態の内視鏡の分岐部において，鉗子で医療用チューブを抜去するときの動作を示す図である。
【図６】図６は，本発明の第２の実施の形態の内視鏡の分岐部の軸方向の断面図である。
【図７】図７は，同実施の形態の内視鏡の分岐部において，スネアで医療用チューブを抜去するときの動作を示す図である。
【図８】図８は，従来の内視鏡の分岐部の軸方向の断面図，およびスネアで医療用チューブを抜去するときの動作を示す図である。
【符号の説明】
１００    内視鏡
１０２    挿入部
１０４    本体操作部
１０６    ユニバーサルコード部
１０８    処置具挿通用管路
１１０    処置具導入口
１１２，２１２    処置具導入用管路
１１４，２１４    分岐部
１１６    吸引用管路
１１８    吸引用バルブ
１２０，２２０    （分岐部側の）接続部
１２２    雌ねじ部
１２４    雌ねじ逃げ部
１２６，２２６    （処置具導入用管路側の）接続部
１２８    雄ねじ部
１３０    雄ねじ逃げ部
１３２，２３２    Ｏリング
１３４，２３４    （処置具導入用管路と分岐部の）境界部分
１３６，２３６    （吸引用管路と分岐部の）境界部分
１３８，２３８    合流部
１４０，２４０    壁部
１４２    研磨手段
２２２    係合凹部
２２４，２３０    逃げ溝部
２２８    係合凸部
【図１】
2005021288.tif 000003
【図２】
2005021288.tif 000004
【図３】
2005021288.tif 000005
【図４】
2005021288.tif 000006
【図５】
2005021288.tif 000007
【図６】
2005021288.tif 000008
【図７】
2005021288.tif 000009
【図８】
2005021288.tif 000010